(57)【要約】【課題】２次電池を使用するタイプの携帯型充電器の２次電池充電作業の煩雑さをなくし、利便性を高めることである。【解決手段】携帯電話機１を接続した状態の携帯型充電器１０に、その携帯電話機に付属の専用充電器２０を接続する。これにより、専用充電器２０からの充電電圧は、まず携帯電話機内の内蔵電池を充電し、その後携帯型充電器内の２次電池１３を充電する。よって、携帯電話機の内蔵電池及び携帯型充電器の２次電池の充電を一度に済ますことができ、その利便性を高めることができる。【選択図】　図１
2004015932.tif 000002
【特許請求の範囲】
【請求項１】
携帯電話機に内蔵されている内蔵電池を充電する携帯電話機用携帯型充電器において、
上記携帯電話機の外部コネクタに接続され、上記内蔵電池を充電するための充電電圧を該外部コネクタを介して該携帯電話機内に供給するための第１の接続部と、
外部電源から供給される外部電圧を出力する電圧供給用コネクタに接続される第２の接続部と、
該第２の接続部を介して供給される外部電圧により２次電池を充電する２次電池充電手段と、
上記２次電池が発生する電圧を上記充電電圧として上記第１の接続部に供給する充電電圧供給手段と、
上記第２の接続部を介して供給される外部電圧を、上記２次電池充電手段及び上記第１の接続部に供給するための外部電圧供給手段とを設けたことを特徴とする携帯電話機用携帯型充電器。
【請求項２】
請求項１の携帯電話機用携帯型充電器において、
上記外部電圧供給手段は、上記内蔵電源の充電を終えるまでは上記外部電圧を上記第１の接続部に供給し、該内蔵電源の充電を終えた後は上記外部電圧を上記２次電池充電手段に供給することを特徴をする携帯電話機用携帯型充電器。
【請求項３】
請求項１又は２の携帯電話機用携帯型充電器において、
上記第２の接続部は、上記携帯電話機の専用充電器の電圧供給用コネクタに接続可能な構成を有することを特徴をする携帯電話機用携帯型充電器。
【請求項４】
請求項３の携帯電話機用携帯型充電器において、
上記第１の接続部を、複数種の携帯電話機に設けられるいずれの外部コネクタにも接続可能な構成とし、
上記第２の接続部を、上記複数種の携帯電話機の専用充電器に設けられるいずれの電圧供給用コネクタにも接続可能な構成を有することを特徴をする携帯電話機用携帯型充電器。
【請求項５】
請求項１、２、３又は４の携帯電話機用携帯型充電器において、
１次電池を着脱可能なソケット部を設け、
上記充電電圧供給手段は、上記ソケット部に１次電池が装着されているとき、上記２次電池の代わりに又はこれと併用して該１次電池が発生する電圧を上記充電電圧として上記携帯電話機用接続部に供給することを特徴をする携帯電話機用携帯型充電器。
【発明の詳細な説明】
【０００１】
【発明の属する技術分野】
本発明は、携帯電話機の内蔵電池を外出先等で簡単に充電できる携帯電話機用携帯型充電器に関するものである。
【０００２】
【従来の技術】
この種の携帯型充電器には、１次電池を装着して使用するタイプのものがあり、この充電器はその１次電池を交換することで継続利用することができる。しかし、使用済みの１次電池は再利用できないことから、このタイプの携帯型充電器は環境保護等の観点から好ましくない面をもつ。一方、充電することで再使用可能な２次電池を使用するタイプの携帯型充電器も知られている。このタイプの充電器は、その２次電池を充電するための充電機能が内蔵されており、その充電機能を使って使用後の２次電池を再充電することで継続利用することができる。よって、このタイプの充電器は、１次電池を使用するタイプに比べて環境保護等の観点で有用である。
【０００３】
【発明が解決しようとする課題】
ところが、２次電池を使用するタイプの充電器では、利用者が、その２次電池の充電作業を行う必要がある。この充電作業は、このタイプの充電器にとって避けられないものであるが、従来の充電器では、その充電作業を携帯電話機の充電作業とを別個に行う必要があった。そのため、充電器と携帯電話機の両者の充電作業を別々に行うという煩雑な作業をと利用者に強いることとなり、利便性を低下させる要因となっていた。
【０００４】
本発明は、上記背景に鑑みなされたものであり、その目的とするところは、２次電池の充電作業の煩雑さをなくし、２次電池を使用するタイプの携帯型充電器の利便性を高めることができる携帯電話機用携帯型充電器を提供することである。
【０００５】
【課題を解決するための手段】
上記目的を達成するために、請求項１の発明は、携帯電話機に内蔵されている内蔵電池を充電する携帯電話機用携帯型充電器において、上記携帯電話機の外部コネクタに接続され、上記内蔵電池を充電するための充電電圧を該外部コネクタを介して該携帯電話機内に供給するための第１の接続部と、外部電源から供給される外部電圧を出力する電圧供給用コネクタに接続される第２の接続部と、該第２の接続部を介して供給される外部電圧により２次電池を充電する２次電池充電手段と、上記２次電池が発生する電圧を上記充電電圧として上記第１の接続部に供給する充電電圧供給手段と、上記第２の接続部を介して供給される外部電圧を、上記２次電池充電手段及び上記第１の接続部に供給するための外部電圧供給手段とを設けたことを特徴とするものである。
この携帯型充電器は、携帯電話機の外部コネクタを第１の接続部に接続した状態で、第２の接続部から供給される外部電圧により携帯電話機の内蔵電池と２次電池を充電することができる。２次電池の充電タイミングは、携帯電話機の内蔵電池の充電と同時であっても、その内蔵電池の充電を終えた後であっても、その内蔵電池の充電を開始する前であってもよい。本携帯型充電器であれば、携帯電話機とを接続した状態で両者の充電作業をに行うことができるので、利用者は、これらの充電作業を個別に行う必要がなくなる。
【０００６】
また、請求項２の発明は、請求項１の携帯電話機用携帯型充電器において、上記外部電圧供給手段は、上記内蔵電源の充電を終えるまでは上記外部電圧を上記第１の接続部に供給し、該内蔵電源の充電を終えた後は上記外部電圧を上記２次電池充電手段に供給することを特徴をするものである。
この携帯型充電器は、利用者に優先的に使用される携帯電話機の方の充電を本充電器の２次電池よりも先に行うことができる。
【０００７】
また、請求項３の発明は、請求項１又は２の携帯電話機用携帯型充電器において、上記第２の接続部は、上記携帯電話機の専用充電器の電圧供給用コネクタに接続可能な構成を有することを特徴をするものである。
この携帯型充電器は、第２の接続部に電圧を供給するための電圧供給用コネクタとして、利用者の携帯電話機に付属しているその携帯電話機用の専用充電器を利用することができる。よって、本携帯型充電器専用の電圧供給用コネクタを別個用意する必要がなくなる。
【０００８】
また、請求項４の発明は、請求項３の携帯電話機用携帯型充電器において、上記第１の接続部を、複数種の携帯電話機に設けられるいずれの外部コネクタにも接続可能な構成とし、上記第２の接続部を、上記複数種の携帯電話機の専用充電器に設けられるいずれの電圧供給用コネクタにも接続可能な構成を有することを特徴をするものである。
この携帯型充電器は、複数種の携帯電話機に対して利用することができる。よって、第１の接続部及び第２の接続部を携帯電話機の種類ごとに個別に用意する必要がなくなる。
【０００９】
また、請求項５の発明は、請求項１、２、３又は４の携帯電話機用携帯型充電器において、１次電池を着脱可能なソケット部を設け、上記充電電圧供給手段は、上記ソケット部に１次電池が装着されているとき、上記２次電池の代わりに又はこれと併用して該１次電池が発生する電圧を上記充電電圧として上記携帯電話機用接続部に供給することを特徴をするものである。
この携帯型充電器は、本充電器を用いて携帯電話機の内蔵電池を充電する際に１次電池も利用できる。よって、外出先等において、２次電池を使い切ってしまったときやより多くの充電量を必要とするときなどであっても、１次電池を利用して内蔵電池の充電作業を継続することができる。
【００１０】
【発明の実施の形態】
以下、本発明を、外出先等で携帯電話機の内蔵電池を充電するための携帯電話機用携帯型充電器（以下、単に「充電器」という。）に適用した一実施形態について説明する。
図１は、本実施形態に係る充電器を充電するときの状態の概略構成を示す外観図である。この充電器１０は、第１の接続部としての第１コネクタ１１と、第２の接続部としての第２コネクタ１２とを備えている。また、内部には、３本の２次電池１３を着脱可能に収容するソケット部１４が設けられている。なお、図示の充電器１０は、ソケット部１４の蓋が開いた状態を示している。この充電器１０内の２次電池１３は、携帯電話機１の内蔵電池と同じ充電作業で充電することができる。両者を充電する場合には、第１コネクタ１１に携帯電話機１の外部コネクタ２を接続し、かつ、第２コネクタ１２にその携帯電話機１の専用充電器２０の電圧供給用コネクタである専用コネクタ２１を接続する。専用充電器２０の電源コネクタ２２は、自宅の電源コンセント３０に差し込まれる。なお、携帯電話機１のみを充電する場合には、従来と同様に、専用充電器２０の専用コネクタ２１を携帯電話機１の外部コネクタ２に直接接続してもよい。
【００１１】
ここで、携帯電話機１の外部コネクタ２は、一般にメスコネクタであり、そのコネクタ形状は携帯電話機１の種類ごとに異なっている。本実施形態の第１コネクタ１１には、すべての外部コネクタ２に対応した形状をもつ公知の汎用オスコネクタが利用されている。
一方、携帯電話機１に付属の専用充電器２０に設けられる専用コネクタ２１は、その携帯電話機１の外部コネクタ２に対応した形状を有するオスコネクタであり、そのコネクタ形状は携帯電話機１の種類ごとに異なっている。本実施形態の第２コネクタ１２には、すべての専用コネクタ２１に対応した形状をもつメスコネクタが利用されている。また、本実施形態の第２コネクタ１２の形状は、特定の携帯電話機に専用のものではない公知の汎用オスコネクタの形状にも対応している。具体的には、この第２コネクタ１２の内形形状は、すべての専用コネクタ２１及び汎用オスコネクタが有するいずれの外形にも衝突することのない最小範囲に決められている。そして、その第２コネクタ１２には、いずれのオスコネクタが挿入されたときでもオスコネクタとの連結状態を保持する保持手段が設けられている。本実施形態では、第２コネクタ１２の内壁の適切な位置に設けられる突起部が保持手段として機能している。
なお、本実施形態では、携帯電話機１に付属する専用充電器２０を利用しているが、本充電器１０に専用の電源ケーブルを用意するのであれば、第２コネクタ１２はこの電源ケーブルと接続できるものであればよい。また、第２コネクタ１２として、電源コンセント３０に直接差し込むことができる電源コネクタを利用することもできる。
【００１２】
図２は、充電器１０の内部の回路構成を示すブロック図である。この充電器１０は、第２コネクタ１２を介して専用充電器２０から供給された外部電圧から所望の定電圧を得るための定電圧回路部１５を備えている。この定電圧回路部１５は、外部電圧が入力されると、下段の回路部に一定の電圧（ＤＣ４．５Ｖ）を供給する。
【００１３】
この定電圧回路部１５から出力される一定電圧は、２次電池充電手段としての２次電池充電部１６に入力される。この２次電池充電部１６は、２次電池１３が装着されたソケット部１４によって構成されている。２次電池充電部１６は、入力された一定電圧が加わることによって流れる電流により２次電池１３を充電する。
また、定電圧回路部１５からの一定電圧は、充電電圧供給手段としての昇圧回路部１７にも入力される。この昇圧回路部１７は、入力された一定電圧を携帯電話機１の内蔵電池の充電に必要な電圧に変圧した後、その電圧を第１コネクタ１１に供給する。なお、本実施形態では、内部に充電回路を備えた携帯電話機１の充電を例に挙げているので、昇圧回路部１７では、入力されるＤＣ４．５ＶをＤＣ５．４Ｖまで昇圧している。このように昇圧された電圧は、第１コネクタ１１に接続されている外部コネクタ２を介して、その携帯電話機１の充電回路に送られ、その充電回路により内蔵電池が充電される。このように、本実施形態における回路構成によって外部電圧供給手段が構成されている。
なお、外出先等において、本充電器１０の２次電池１３で発生する電圧によって携帯電話機１の内蔵電池を充電する場合、２次電池１３で発生する電圧が昇圧回路部１７に入力される。そして、昇圧回路部１７は、上記と同様に、入力された電圧を変圧した後、その電圧を第１コネクタ１１に供給する。これにより、携帯電話機１の充電回路が内蔵電池を充電する。
【００１４】
次に、本充電器１０の動作について説明する。
図３は、本実施形態における充電器１０の動作を示すフローチャートである。本充電器１０は、第１コネクタ１１及び第２コネクタ１２の電気的な接続状態の違いにより、その動作が異なる。
第１コネクタ１１が携帯電話機１に内蔵された充電回路と電気的に接続された状態（以下、単に「接続状態」という。）であり、かつ、第２コネクタ１２が専用充電器２０と電気的に接続されていない状態（以下、単に「非接続状態」という。）である場合（Ｓ１）、昇圧回路部１７には、２次電池１３で発生する電圧が入力される。そして、本充電器１０の２次電池１３から携帯電話機１の充電回路に電流が流れ込み、内蔵電池が充電される（Ｓ２）。内蔵電池の充電が終了すると、携帯電話機１の充電回路によって携帯電話機１に流れ込む電流がカットされるため、２次電池１３からは電流が供給されなくなり、充電が終了する。
【００１５】
また、第１コネクタ１１が携帯電話機１の充電回路と非接続状態であり、かつ、第２コネクタ１２が専用充電器２０と接続状態である場合（Ｓ３）、２次電池充電部１６には、第２コネクタ１２からの外部電圧が入力される。これにより、その第２コネクタ１２から２次電池充電部１６に電流が流れ込み、２次電池１３が充電される（Ｓ４）。このとき、第１コネクタ１１は非接続状態であるため、昇圧回路部１７には、電流が流れ込むことはない。
【００１６】
また、第１コネクタ１１及び第２コネクタ１２がともに接続状態である場合（Ｓ５）、２次電池充電部１６及び昇圧回路部１７には、第２コネクタ１２からの外部電圧が入力される。第２コネクタ１２から流入する電流は、インピーダンスの関係で、そのほとんどは、２次電池充電部１６には流れ込まずに昇圧回路部１７に流れ込むことになる。これにより、携帯電話機１の充電回路によって内蔵電池が充電される（Ｓ６）。内蔵電池の充電が終了すると、上述のように携帯電話機１に流れ込む電流がカットされるため、第２コネクタ１２から流入する電流は、今度は２次電池充電部１６には流れ込み、２次電池１３が充電される（Ｓ７）。
【００１７】
また、本実施形態の２次電池１３として、単４形のＮｉ−ＭＨ電池を用いているので、ソケット部１４に単４形の１次電池を装着して利用することもできる。これにより、例えば外出先等において２次電池を使い切ってしまったときでも、１次電池を利用して携帯電話機１の内蔵電池の充電作業を行うことができる。このとき、１次電池が装着された状態で、２次電池充電部１６による充電動作が行われない構成とするのが望ましい。例えば、ソケット部１４の構造を、２次電池１３を装着したときと１次電池を装着したときとで、その接触端子が互いに異なるようにする構成する。なお、ソケット部１４を設けずに、本充電器１０に対して着脱できない内蔵型の２次電池を用いてもよい。
【００１８】
以上、本実施形態によれば、携帯電話機１を接続した状態の充電器１０に、その携帯電話機１に付属の専用充電器２０を接続するだけで、その携帯電話機１の内蔵電池及び充電器１０の２次電池の充電を一度に済ますことができる。よって、従来別々に行わなければならなかった両者の充電作業を一度に行うことができるので、その利便性を高めることができる。
なお、本実施形態では、携帯電話機１の内蔵電池の充電を優先して行う構成としたが、２次電池１３の充電を優先して行ったり、内蔵電池と２次電池１３の充電を同時に行ったりしてもよい。
【００１９】
【発明の効果】
請求項１乃至５の発明によれば、本携帯形充電器内の２次電池を充電する作業を携帯電話機の充電作業とは別個に行う必要がなくなるため、２次電池の充電作業の煩雑さをなくし、２次電池を使用するタイプの携帯型充電器の利便性を高めることができるという優れた効果がある。
特に、請求項２の発明によれば、利用者に優先的に使用される携帯電話機の内蔵電池を先に充電するので、さらに利便性を高めることができるという優れた効果がある。
また、請求項３の発明によれば、本携帯型充電器専用の電圧供給用コネクタを別個用意する必要がなくなるので、生産コストを抑えることができるという優れた効果がある。
また、請求項４の発明によれば、携帯電話機の種類ごとに異なる接続部を用意する必要がなくなるので、生産コストをさらに抑えることができるという優れた効果がある。
また、請求項５の発明によれば、１次電池を利用することでも携帯電話機の内蔵電池を充電できるので、さらに利便性を高めることができるという優れた効果がある。
【図面の簡単な説明】
【図１】実施形態に係る充電器を充電するときの状態の概略構成を示す外観図。
【図２】同充電器の内部の回路構成を示すブロック図。
【図３】同充電器の動作を示すフローチャート。
【符号の説明】
１　　携帯電話機
２　　外部コネクタ
１０　充電器
１１　第１コネクタ
１２　第２コネクタ
１３　２次電池
１４　ソケット部
１５　定電圧回路部
１６　２次電池充電部
１７　昇圧回路部
２０　専用充電器
２１　専用コネクタ
２２　電源コネクタ
３０　電源コンセント
【図１】
2004015932.tif 000003
【図２】
2004015932.tif 000004
【図３】
2004015932.tif 000005